(57)【要約】【課題】貸出し操作ボタン及びカード返却用操作ボタンのうちいずれか一方のボタンについて、非操作位置への復帰を容易に行なえるようにした遊技機を提供する。【解決手段】パチンコ機の上受皿セットカバー２１（ボタン取付基板）における貸出し操作ボタン５１及びカード返却用操作ボタン５２の間の領域に支軸３１を設け、支軸３１と貸出し操作ボタン５１の軸部５１４との間に第１のリンク部材３２を、また支軸３１とカード返却用操作ボタン５２の軸部５２４との間に第２のリンク部材３３を回動可能に軸支して連動機構３０を構成した。貸出し操作ボタン５１が周囲部材との摩擦力により係止され、非操作位置（押されていない状態）への復帰が抑制されるようになった場合、カード返却用操作ボタン５２を押圧すると、連動機構３０を介して貸出し操作ボタン５１の軸部５１４は、押し上げ力を受けて非操作位置に容易に復帰することになる。【選択図】　　　　図２
2004065440.tif 000002
【特許請求の範囲】
【請求項１】
カードユニットに挿入されたカードの記録情報に基づいて遊技媒体の貸出しを行なう遊技機において、前記遊技媒体の貸出し操作ボタン及び前記カードの返却のためのカード返却用操作ボタンについて、一方のボタンのオン操作により、他方のボタンが非操作位置に復帰するように前記両ボタンを連結する連動機構を設けたことを特徴とする遊技機。
【請求項２】
前記貸出し操作ボタン及び前記カード返却用操作ボタンは、ボタン取付基板に形成された２つの孔にそれぞれ挿通される軸部、及び各軸部にそれぞれ連接される頭部からなる貸出し操作ボタン本体及びカード返却用操作ボタン本体と、
それぞれの頭部とボタン取付基板との間に配置されるスプリングと、から構成され、
前記連動機構は、ボタン取付基板における前記２つの孔の間の領域に設けた支軸と、前記両ボタンの軸部の先端部のそれぞれとの間に回動可能に軸支される第１、第２のリンク部材とからなることを特徴とする請求項１に記載の遊技機。
【請求項３】
前記第１、第２のリンク部材に対する前記支持軸側の支点軸は共通とされていることを特徴とする請求項１又は請求項２に記載の遊技機。
【請求項４】
前記第１、第２のリンク部材のうち一方のリンク部材に、前記支点軸から他方のリンク部材方向に延びる延長部を設け、該延長部は、前記他方のリンク部材が連結される操作ボタンの操作時における当該他方のリンク部材の回動方向側に配置されることを特徴とする請求項３に記載の遊技機。
【請求項５】
他方のリンク部材の回動方向側には、前記延長部が収納可能に切欠が形成されたことを特徴とする請求項４に記載の遊技機。
【発明の詳細な説明】
【０００１】
【発明の属する技術分野】
本発明はプリペイドカード等のカードに記録された情報に基づいてパチンコ球及びコイン等の遊技球の貸出しを行なう遊技機に係り、遊技媒体の貸出し操作ボタン及びカードのカード返却用操作ボタンの操作性の改良に関するものである。
【０００２】
【従来の技術】
従来の遊技機の一例として、遊技機本体の横にカードユニットを配置し、カードユニットに挿入されたプリペードカードの記録情報に基づいて遊技媒体の貸出しを行なうパチンコ機（ＣＲ機）がある。そして、このパチンコ機では、図６に示すように、パチンコ機本体（遊技機本体）〔図示省略〕の前面に設けたプラスチック製のボタンベース部５０に、遊技球（遊技媒体）の貸出し操作ボタン５１及びカード（プリペードカード）の返却のためのカード返却用操作ボタン５２を近接して配置している。
【０００３】
ボタンベース部５０は、パチンコ機本体の前面側（図６上側）に近接して、２つの凹部５３を形成し、この凹部５３の底部（符号省略）にそれぞれ孔５４を形成している。貸出し操作ボタン５１及びカード返却用操作ボタン５２は、それぞれ、図６右側、左側の凹部５３，５３に収納されるようにして配置されている。
【０００４】
貸出し操作ボタン５１は、貸出し操作ボタン本体５１１とスプリング５１２とから大略構成されている。貸出し操作ボタン本体５１１は、凹部５３に収納される大きさの頭部５１３と、頭部５１３に連結されて図６右側の孔５４に挿入され、先端側がボタンベース部５０の背面側（図６下側）に突出可能な軸部５１４とから構成されている。スプリング５１２は、前記凹部５３の底部及び頭部５１３間に設けられて頭部５１３が底部から離間するように貸出し操作ボタン本体５１１を付勢するようにしている。また、カード返却用操作ボタン５２は、貸出し操作ボタン５１と同様に、頭部５２３及び軸部５２４からなるカード返却用操作ボタン本体５２１と、スプリング５２２とから大略構成され、図６左側の孔５４に対応して配置されている。
【０００５】
ボタンベース部５０の背面側（図６下側）には、貸出し操作ボタン５１及びカード返却用操作ボタン５２のオン操作（貸出し操作ボタン本体５１１及びカード返却用操作ボタン本体５２１の図６下方向への移動）によりそれぞれオン作動する貸出し用スイッチ５６及びカード返却用スイッチ５７が設けられている。貸出し用スイッチ５６及びカード返却用スイッチ５７は、カードユニットに設けられるカード制御部（図示省略）に接続されている。
また、ボタンベース部５０の貸出し操作ボタン５１の近傍には、孔（符号省略）が形成され、当該孔に透明部材５８が装着されている。この透明部材５８の背面側に、カード制御部（図示省略）に接続されるエラー表示ランプ５９が設けられている。エラー表示ランプ５９は、貸出し操作ボタン５１又はカード返却用操作ボタン５２が、後述する非操作位置に所定時間以上、戻らない状態が続いた場合、点灯しエラー表示するようにしている。
【０００６】
このパチンコ機では、カードユニットのカード挿入口（図示省略）にカードを挿入すると、カードに記録された情報（金額情報）を読み出し、該情報に対応する金額内での遊技球の貸出しを行なえる待機状態になる。この待機状態で貸出し操作ボタン５１をオン操作し（貸出し操作ボタン本体５１１を指で押して図６下方向へ移動させ）、軸部５１４が貸出し用スイッチ５６を押圧すると貸出し用スイッチ５６がオン作動する。カード制御部は、貸出し用スイッチ５６からのオン作動信号に基づいて、図示しない賞球払出し装置を制御し遊技球を上皿に供給させ遊技球の貸出しを行なう。
そして、指を離すと、スプリング５１２の弾性力により貸出し操作ボタン本体５１１は図６上方に移動し、貸出し操作ボタン５１はオン操作される前の元の状態（非操作位置）に戻される。また、カードの金額情報は、貸出し遊技球数に対応した金額分が引かれるように書換えられる。
【０００７】
また、遊技終了時等に、カード返却用操作ボタン５２をオン操作し（カード返却用操作ボタン本体５２１を指で押して図６下方向に移動させ）、軸部５２４がカード返却用スイッチ５７を押すとカード返却用スイッチ５７がオン作動する。カード制御部は、カード返却用スイッチ５７からのオン作動信号に基づいて、カードユニットに設けられる図示しないカード案内機構を制御しカードをカードユニットに設けたカード戻し口から遊技者に返却するようにしている。
そして、指を離すと、スプリング５２２の弾性力によりカード返却用操作ボタン本体５２１は図６上方に移動し、カード返却用操作ボタン５２はオン操作される前の元の状態（非操作位置）に戻される。
【０００８】
【発明が解決しようとする課題】
ところで、上述した従来技術では、貸出し操作ボタン５１及びカード返却用操作ボタン５２について、プラスチック製のボタンベース部５０に形成した孔５４に各軸部５１４，５２４が挿入されて貸出し操作ボタン本体５１１及びカード返却用操作ボタン本体５２１が上下動する。このため、軸部５１４，５２４と孔５４の内壁との接触により、動きが悪くなることがある。そして、場合によっては、オン操作の後に指を離しても、貸出し操作ボタン本体５１１又はカード返却用操作ボタン本体５２１が押された位置に留まりスプリング５１２，５２２の弾性力だけでは元の位置（非操作位置）に戻されなくなることがあり、不便であった。
【０００９】
例えば、一人の遊技者が貸出し操作ボタン５１をオン操作して遊技球の貸出しを受け、さらにカード返却用操作ボタン５２を押してカードの返却を受けた後に、遊技台を変える一方、貸出し操作ボタン５１がスプリング５１２の弾性力だけでは非操作位置に戻らなくなることが起こり得る。そして、非操作位置に戻らない状態が所定時間以上継続すると、エラー表示ランプ５９はエラー表示される。この場合、エラー表示に合わせてカードユニットは使用できない状態（エラー状態）になる。このため、他の遊技者が当該パチンコ台のカードユニットを用いてパチンコ遊技を行なう場合、ホールスタッフの助け等を借りて前記エラー状態を解除する必要があり不便であった。
【００１０】
本発明は、上記事情に鑑みてなされたもので、貸出し操作ボタン及びカード返却用操作ボタンのうちいずれか一方のボタンについて、非操作位置への復帰を容易に行なえるようにした遊技機を提供することを目的とする。
【００１１】
【課題を解決するための手段】
請求項１記載の発明は、カードユニットに挿入されたカードの記録情報に基づいて遊技媒体の貸出しを行なう遊技機において、前記遊技媒体の貸出し操作ボタン及び前記カードの返却のためのカード返却用操作ボタンについて、一方のボタンのオン操作により、他方のボタンが非操作位置に復帰するように前記両ボタンを連結する連動機構を設けたことを特徴とする。
【００１２】
請求項２記載の発明は、請求項１に記載の構成において、前記貸出し操作ボタン及び前記カード返却用操作ボタンは、ボタン取付基板に形成された２つの孔にそれぞれ挿通される軸部、及び各軸部にそれぞれ連接される頭部からなる貸出し操作ボタン本体及びカード返却用操作ボタン本体と、それぞれの頭部とボタン取付基板との間に配置されるスプリングと、から構成され、前記連動機構は、ボタン取付基板における前記２つの孔の間の領域に設けた支軸と、前記両ボタンの軸部の先端部のそれぞれとの間に回動可能に軸支される第１、第２のリンク部材とからなることを特徴とする。
【００１３】
請求項３記載の発明は、請求項１又は請求項２に記載の構成において、前記第１、第２のリンク部材に対する前記支持軸側の支点軸は共通とされていることを特徴とする。
請求項４記載の発明は、請求項３に記載の構成において、前記第１、第２のリンク部材のうち一方のリンク部材に、前記支点軸から他方のリンク部材方向に延びる延長部を設け、該延長部は、前記他方のリンク部材が連結される操作ボタンの操作時における当該他方のリンク部材の回動方向側に配置されることを特徴とする。
請求項５記載の発明は、請求項４に記載の構成において、他方のリンク部材の回動方向側には、前記延長部が収納可能に切欠が形成されたことを特徴とする。
【００１４】
【発明の実施の形態】
本発明の第１実施の形態に係るパチンコ機１００を図１〜図４に基づいて説明する。なお、図６に示す部材と同等の部材については、同等の符号を付し、その説明は、適宜省略する。
図１において、パチンコ機１は、パチンコ機本体２と、このパチンコ機本体２の横に配置されるカードユニット３とから大略構成されている。パチンコ機本体２は、ホールの島に取付けられる外枠４と、額縁形とされて窓（符号省略）を有し、かつ外枠４の一側に蝶番（図示省略）で開閉可能に蝶着された前枠５とを備えている。前枠５は、背面側（図１紙面向う側）には箱形の装着部（図示省略）を設けている。前枠５の前記装着部には、遊技盤６（ゲージ盤）が着脱自在に納められている。
【００１５】
前枠５の前記窓には、遊技盤６の前面（図１紙面手前側）を被うガラス（図示省略）を嵌めたガラス枠７と、窓部（図示省略）を備えた枠形状の前面板８とが上下に並べてそれぞれ開閉自由となるように蝶着されている。前面板８には、賞球を受ける上皿（符号省略）を備えた上受皿セット９が装着されている。また、前枠５の下方部分には、下皿（符号省略）や灰皿（符号省略）を設けた下受皿セット１０が配設されている。さらに、下受皿セット１０に並んで操作ハンドル１１が設けられている。
【００１６】
遊技盤６は、ベニヤ板１２を有し、その前面（表面。図１紙面手前側）には、略円形渦巻状に配置されるガイドレール１３が取付けられている。ガイドレール１３の内側に遊技領域（符号省略）が形成されている。
【００１７】
前記遊技領域の中央部には、特別図柄の表示装置を備えたセンター役物１６が配設され、その下方に始動口部材１７（役物）が設けられ、さらに下方に大入賞口部材１８（役物）が設けられている。また、始動口部材１７の両側及びセンター役物１６の両側には入賞口部材１９が設けられている。さらに、センター役物１６の周辺には、風車２０及び図示しない多数本の釘が設けられている。センター役物１６、始動口部材１７、大入賞口部材１８及び入賞口部材１９等は、これらに対応してベニヤ板１２に形成された取付け孔（図示省略）に装着するようにしてベニヤ板１２に取付けられている。ベニヤ板１２の裏面側には図示しない制御用基板が取付けられている。
【００１８】
上受皿セット９は、図１及び図２に示すように、前面板８に固定される上受皿セット載置板２０と、上受皿セット載置板２０に重ねて一体化される略箱状のプラスチック製の上皿カバー２１（ボタン取付基板）とからなっている。上受皿セットカバー２１は、上受皿セット載置板２０に重ねられた状態で、上受皿セット載置板２０と共に上方向に開口し、当該開口部を上皿（符号省略）としている。上受皿セットカバー２１には、遊技球（遊技媒体）の貸出し操作ボタン５１及びカード（プリペードカード）のカード返却用操作ボタン５２を近接して配置している。
【００１９】
上受皿セットカバー２１は、パチンコ機本体２の前面側（図２上側）に近接して、２つの凹部５３を形成し、この凹部５３の底部にそれぞれ孔５４を形成している。貸出し操作ボタン５１及びカード返却用操作ボタン５２は、それぞれ、図２右側、左側の凹部５３，５３に収納されるようにして配置されている。
【００２０】
貸出し操作ボタン５１は、貸出し操作ボタン本体５１１とスプリング５１２とから大略構成されている。貸出し操作ボタン本体５１１は、凹部５３に収納される大きさの頭部５１３と、頭部５１３に連結されて図２右側の孔５４に挿入され、先端側が上皿カバー２１の背面側（図２下側）に突出可能な軸部５１４とから構成されている。スプリング５１２は、前記凹部５３の底部及び頭部５１３間に設けられて頭部５１３が底部から離間するように貸出し操作ボタン本体５１１を付勢するようにしている。また、カード返却用操作ボタン５２は、貸出し操作ボタン５１と同様に、頭部５２３及び軸部５２４からなるカード返却用操作ボタン本体５２１と、スプリング５２２とから大略構成され、図２左側の孔５４に対応して配置されている。
【００２１】
上皿カバー２１の背面側（図２下側）には、貸出し操作ボタン５１及びカード返却用操作ボタン５２のオン操作（貸出し操作ボタン本体５１１及びカード返却用操作ボタン本体５２１の図２下方向への移動）によりそれぞれオン作動する貸出し用スイッチ５６及びカード返却用スイッチ５７が設けられている。貸出し用スイッチ５６及びカード返却用スイッチ５７は、カードユニット３に設けられるカード制御部２２に接続されている。
また、上皿カバー２１の貸出し操作ボタン５１の近傍には、孔（符号省略）が形成され、当該孔に透明部材５８が装着されている。この透明部材５８の背面側に、カード制御部２２（図示省略）に接続されるエラー表示ランプ５９が設けられている。エラー表示ランプ５９は、貸出し操作ボタン５１又はカード返却用操作ボタン５２が、後述する非操作位置に所定時間以上、戻らない状態が続いた場合、点灯しエラー表示するようにしている。
【００２２】
パチンコ機本体２には、さらに、図示しない賞球払い出し装置が設けられており、大入賞口部材１８及び入賞口部材１９等への入賞に対する賞球の払出しを行なうと共に、カードユニット３のカード制御部２２からの指示信号により上受皿セット９の上皿に貸出し球を供給するようにしている。
【００２３】
カードユニット３には、カード案内機構２３が設けられており、カードユニット３の前面側に設けたカード挿入口２４から挿入されたカードを保持すると共に、カード制御部２２からの指示信号により前記カードをカード戻し口２５から返却するようにしている。さらに、カードユニット３には、カードに記録された情報（金額情報）を読み出すと共に、その金額情報の書換えをおこなう情報読出し書換え部２６と、この情報読出し書換え部２６、カード案内機構２３及び前記賞球払出し装置を制御する前記カード制御部２２とを有している。
【００２４】
このパチンコ機１では、貸出し操作ボタン５１及びカード返却用操作ボタン５２について、一方のボタンのオン操作により、他方のボタンが非操作位置に復帰するように前記両ボタン〔貸出し操作ボタン５１及びカード返却用操作ボタン５２〕を連結する連動機構３０を設けている。
連動機構３０は、図２〜図４に示すように、上受皿セットカバー２１（ボタン取付基板）における前記２つの孔５４，５４の間の領域に設けた支軸３１と、前記両ボタン〔貸出し操作ボタン５１及びカード返却用操作ボタン５２〕の各軸部〔軸部５１４，５２４〕の先端部との間に回動可能に軸支される剛体からなる第１、第２のリンク部材３２，３３とからなっている。第１、第２のリンク部材３２，３３の支軸３１に対する回動軸（支点軸３４）は共通とされている。
【００２５】
第２のリンク部材３３（一方のリンク部材）には、支点軸３４から第１のリンク部材３２（他方のリンク部材）方向に延びる延長部３６が設けられている。該延長部３６は、第１のリンク部材３２（他方のリンク部材）が連結される貸出し操作ボタン５１のオン操作時における当該第１のリンク部材３２の回動方向側（図４矢印Ｒ１方向側）〔図４下側〕に配置されている。
第１のリンク部材３２の前記回動方向側（図４矢印Ｒ１方向側）〔図４下側〕には、延長部３６を収納可能に切欠３７が形成されている。例えば、図４の実線で示すように、カード返却用操作ボタン５２が押されず非操作位置とされ、かつ貸出し操作ボタン５１の貸出し操作ボタン本体５１１が下方に移動して、第１のリンク部材３２及び第２のリンク部材３３が右下がりに斜めになっている場合、延長部３６が切欠３７に収納されて、第１のリンク部材３２及び第２のリンク部材３３の両リンク部材は略直線状に配置される。
【００２６】
上述したように構成した本実施の形態のパチンコ機１では、カードユニット３のカード挿入口２４にカードを挿入すると、カードに記録された情報（金額情報）を読み出し、該情報に対応する金額内での遊技球の貸出しを行なえる待機状態になる。この待機状態で貸出し操作ボタン５１をオン操作し（貸出し操作ボタン本体５１１を指で押して図２下方向へ移動させ）、軸部５１４が貸出し用スイッチ５６を押すと貸出し用スイッチ５６がオンしてオン作動信号を発生する。カード制御部２２は、貸出し用スイッチ５６からのオン作動信号に基づいて、図示しない賞球払出し装置を制御し遊技球を上受皿セット９の上皿に供給させ遊技球の貸出しを行なう。
そして、指を離すと、スプリング５１２の弾性力により貸出し操作ボタン本体５１１は図１上方に移動し、貸出し操作ボタン５１はオン操作される前の元の状態（非操作位置）に戻される。また、カードの金額情報は、貸出し遊技球数に対応した金額分が引かれるように書換えられる。
【００２７】
また、遊技終了時等に、カード返却用操作ボタン５２をオン操作し（カード返却用操作ボタン本体５２１を指で押して図２下方向に移動させ）、軸部５２４がカード返却用スイッチ５７を押すとカード返却用スイッチ５７がオンしてオン作動信号を発生する。カード制御部２２は、カード返却用スイッチ５７からのオン作動信号に基づいて、カード案内機構２３を制御しカードをカード戻し口２５から遊技者に返却するようにしている。
そして、指を離すと、スプリング５２２の弾性力によりカード返却用操作ボタン本体５２１は図２上方に移動し、カード返却用操作ボタン５２はオン操作される前の元の状態（非操作位置）に戻される。
【００２８】
また、仮に、一人の遊技者が貸出し操作ボタン５１をオン操作して遊技球の貸出しを受け、さらに、カード返却用操作ボタン５２を押してカードの返却を受けた後、これまで遊技していたパチンコ台を離れて他のパチンコ台に移動する一方、貸出し操作ボタン５１の貸出し操作ボタン本体５１１と孔５４形成部との摩擦力が大きくて、貸出し操作ボタン５１がスプリング５１２の弾性力だけでは非操作位置に戻らなくなった場合、第１のリンク部材３２（他方のリンク部材）及び第２のリンク部材３３（一方のリンク部材）は図４実線に示すようになる。そして、非操作位置に戻らない状態が所定時間以上継続すると、エラー表示ランプ５９はエラー表示されると共に、エラー表示に合わせてカードユニット３は使用できない状態（エラー状態）になる。
【００２９】
この際に、次の遊技者（又はホールスタッフ）は、第２のリンク部材３３（一方のリンク部材）に連結されるカード返却用操作ボタン５２のカード返却用操作ボタン本体５２１を押圧作動すると、第２のリンク部材３３は支点軸３４を中心にして矢印Ｒ２方向〔反時計方向〕に回動し、これに伴い延長部３６は矢印Ｒ３方向に回動する。延長部３６が矢印Ｒ３方向に回動することにより、延長部３６の回動力が第１のリンク部材３２（他方のリンク部材）の切欠３７を形成した部分（切欠形成部）３８を介して第１のリンク部材３２に伝達されて、第１のリンク部材３２は第２のリンク部材３３と一体となって、支点軸３４を中心にして矢印Ｒ２方向〔反時計方向〕に回動（シーソー運動）する。なお、この際、予め延長部３６の長さ及び荷重がかかる方向の厚さ寸法等を所定の大きさに設定し、第１のリンク部材３２及び第２のリンク部材３３が直線状に配置された状態で（すなわち第１のリンク部材３２及び第２のリンク部材３３のなす角度が１８０°を超えないようにして）一体に回動するようになっている。
【００３０】
第１のリンク部材３２が支点軸３４を中心にして矢印Ｒ２方向〔反時計方向〕に回動することにより、第１のリンク部材３２及び第２のリンク部材３３は点線で示すようになり、貸出し操作ボタン５１の貸出し操作ボタン本体５１１には、図２上方向の力が作用する。このため、スプリング５１２の弾性力と合わせた上方向の大きさが例えば、軸部５１４と孔３４形成部との接触摩擦による抵抗力より大きくなると、貸出し操作ボタン本体５１１は上方向に移動し、非操作位置に復帰すると共に、前記エラーは解除され、かつエラー表示が消滅することになる。
このように貸出し操作ボタン５１が非操作位置への復帰を容易には行なえなくなった場合にも、貸出し操作ボタン５１に隣接して配置されるカード返却用操作ボタン５２を押圧操作することにより、貸出し操作ボタン５１の非操作位置への復帰を容易に果すことが可能になり、便利なものとなる。さらに、エラーの解除及びエラー表示の消滅を合わせて果しているので、さらに便利になる。
【００３１】
上記例では、貸出し操作ボタン５１の貸出し操作ボタン本体５１１と孔５４形成部との摩擦力が大きくて、貸出し操作ボタン５１がスプリング５１２の弾性力だけでは非操作位置に戻らなくなった場合を説明にしたが、これに代えて、カード返却用操作ボタン５２のカード返却用操作ボタン本体５２１と孔５４形成部との摩擦力が大きくて、カード返却用操作ボタン５２がスプリング５２２の弾性力だけでは非操作位置に戻らなくなった場合（この場合、第１のリンク部材３２及び第２のリンク部材３３は図４点線で示す状態になる）の作動について、説明する。
【００３２】
この場合には、第１のリンク部材３２（他方のリンク部材）に連結される貸出し操作ボタン５１の貸出し操作ボタン本体５１１を押圧作動すると、第１のリンク部材３２は支点軸３４を中心にして矢印Ｒ５方向〔時計方向〕に回動する。そして、第２のリンク部材３３は、延長部３６が切欠形成部３８に押されるように回動力を受け、これに伴い第２のリンク部材３３及び第１のリンク部材３２は一体となって、支点軸３４を中心にして矢印Ｒ６方向〔時計方向〕に回動（シーソー運動）する。そして、カード返却用操作ボタン５２のカード返却用操作ボタン本体５２１には、図２上方向の力が作用する。このため、スプリング５２２の弾性力と合わせた上方向の大きさが例えば、軸部５２４と孔５４形成部との接触摩擦による抵抗力より大きくなると、カード返却用操作ボタン本体５２１は上方向に移動し、非操作位置に復帰すると共に、カード返却用操作ボタン５２の復帰停止に伴うエラーは解除され、かつエラー表示が消滅することになる。
【００３３】
また、上記実施の形態では、第１のリンク部材３２に形成した切欠３７に第２のリンク部材３３に設けた延長部３６が収まるようにした場合を例にしたが、これに代えて、図５に示すように第１のリンク部材３２に前記切欠３７を設けず、第２のリンク部材３３に設けた延長部３６Ａが第１のリンク部材３２の回動方向側（図５矢印Ｒ１方向側）〔図５下側〕に配置されるように設けてもよい（第２実施の形態）。
【００３４】
上記実施の形態では、第１のリンク部材３２に切欠３７を形成し、第１のリンク部材３２及び第２のリンク部材３３を略直線状に配置した際に、延長部３６を切欠３７に収納するようにしているので、第１のリンク部材３２及び第２のリンク部材３３を略直線状に配置した際に突出部分を少なくできる。
上記第１、第２実施の形態では、第２のリンク部材３３が一方のリンク部材、第１のリンク部材３２が他方のリンク部材であり、第２のリンク部材３３に延長部３６，３６Ａを設ける場合を例にしたが、これに代えて第１のリンク部材３２を一方のリンク部材、第２のリンク部材３３を他方のリンク部材とし、第１のリンク部材３２に延長部３６，３６Ａを設けるように構成してもよい。
【００３５】
上記実施の形態では、第１、第２のリンク部材３２，３３の支軸３１に対する回動軸（支点軸３４）は共通とされているので、回動軸を別個に設ける場合に比して、連動機構３０の構造を簡易にできる。
また、上記各実施形態では遊技機がパチンコ機１であり、遊技媒体が遊技球である場合を例にしたが、これに代えて遊技機がパチスロ機で、遊技媒体がコインであるように構成してもよい。
【００３６】
【発明の効果】
請求項１から請求項５までのいずれかに記載の発明によれば、他方のボタンが周囲部材との摩擦力により係止され、非操作位置への復帰が抑制されるようになった場合、一方のボタンのオン操作により連動機構を介して他方のボタンを非操作位置に復帰させるようにするので、他方のボタンの非操作位置への復帰抑制の解除を容易に行なえると共に、他方のボタンの非操作位置への復帰抑制に伴うエラーの解除を容易に果すことができる。
【図面の簡単な説明】
【図１】本発明の第１実施の形態に係るパチンコ機を模式的に示す正面図である。
【図２】図１の貸出し操作ボタン、カード返却用操作ボタン及びその近傍部分を示す断面図である。
【図３】図２の連動機構を模式的に示す図である。
【図４】図２の連動機構の作動を説明するための模式図である。
【図５】本発明の第２実施の形態を説明するための連動機構を模式的に示す図である。
【図６】従来のパチンコ機の一例における貸出し操作ボタン、カード返却用操作ボタン及びその近傍部分を示す断面図である。
【符号の説明】
１　　パチンコ機
２１　上受皿セットカバー
３０　連動機構
３１　支軸
３２　第１のリンク部材
３３　第２のリンク部材
３４　支点軸
３６　延長部
５１　貸出し操作ボタン
５２　カード返却用操作ボタン
【図１】
2004065440.tif 000003
【図２】
2004065440.tif 000004
【図３】
2004065440.tif 000005
【図４】
2004065440.tif 000006
【図５】
2004065440.tif 000007
【図６】
2004065440.tif 000008